【手続補正書】
【提出日】平成19年11月29日(2007.11.29)
【手続補正１】
【補正対象書類名】特許請求の範囲
【補正対象項目名】全文
【補正方法】変更
【補正の内容】
【特許請求の範囲】
【請求項１】
放送受信装置であって、
データ放送に係る複数の表示リソース及び当該複数の表示リソースのレイアウトを規定する表示レイアウトデータを含むデータ放送コンテンツを受信する受信手段と、
前記表示レイアウトデータで規定されたレイアウトに従って、前記複数の表示リソースをレイアウトして表示させる第１の表示形態、又は前記表示レイアウトデータを用いずに、前記複数の表示リソースのうちのビデオストリーム以外の任意の表示リソースを拡大表示させる第２の表示形態の表示制御を行う表示制御手段と、を備える、ことを特徴とする放送受信装置。
【請求項２】
さらに、前記表示リソースの種別及びサイズのうちの少なくとも一方に基づいて、前記複数の表示リソースのうち拡大可能な前記表示リソースを抽出する抽出手段と、を備え、
前記表示制御手段は、前記複数の表示リソースのうち前記抽出手段で抽出された前記表示リソースを前記第２の表示形態において拡大表示することが可能である、ことを特徴とする請求項１に記載の放送受信装置。
【請求項３】
前記抽出手段は、前記表示リソースのサイズが予め定められたサイズよりも大きい場合に、前記拡大表示可能な表示リソースとして抽出する、ことを特徴とする請求項２に記載の放送受信装置。
【請求項４】
前記抽出手段は、前記表示リソースの種別がモノメディア又はテキストである場合に、前記拡大表示可能な表示リソースとして抽出する、ことを特徴とする請求項２に記載の放送受信装置。
【請求項５】
ユーザの指示入力を受ける入力手段と、をさらに備え、
前記表示制御手段は、前記入力手段が受けた指示入力に応じて、前記第１の表示形態の表示又は前記第２の表示形態の表示制御を選択的に行う、ことを特徴とする請求項１に記載の放送受信装置。
【請求項６】
放送受信装置であって、
ビデオストリーム及びデータ放送コンテンツを受信する受信手段と、
前記ビデオストリームと前記データ放送コンテンツとを合成して表示させる第１の表示形態、又は前記ビデオストリームと前記データ放送コンテンツとを合成せずに前記ビデオストリームを表示させる第２の表示形態の表示制御を行う表示制御手段と、
前記データ放送コンテンツに含まれる表示リソースの変化を検出する変化検出手段と、を備え、
前記表示制御手段は、前記第２の表示形態の表示を行っている状態で、前記変化検出手段により前記表示リソースの変化が検出された場合、前記第２の表示形態から前記第１の表示形態に表示制御を切り換える、ことを特徴とする放送受信装置。
【請求項７】
放送受信装置であって、
ビデオストリーム及びデータ放送コンテンツを受信する受信手段と、
前記ビデオストリームと前記データ放送コンテンツとを合成して表示させる第１の表示形態、又は前記ビデオストリームと前記データ放送コンテンツとを合成せずに前記ビデオストリームを表示させる第２の表示形態の表示制御を行う表示制御手段と、
前記データ放送コンテンツに含まれる表示リソースの変化を検出する変化検出手段と、を備え、
前記表示制御手段は、前記第１の表示形態の表示を行っている状態で、前記変化検出手段により前記表示リソースの変化が予め定められた期間検出されなかった場合、前記第１の表示形態から前記第２の表示形態に表示制御を切り換える、ことを特徴とする放送受信装置。
【請求項８】
前記表示リソースは、モノメディア及びテキストのいずれか１つを含む、ことを特徴とする請求項６又は７に記載の放送受信装置。
【請求項９】
前記表示制御手段により表示制御を切り換えるか否かを設定するための設定手段と、をさらに備える、ことを特徴とする請求項６又は７に記載の放送受信装置。
【請求項１０】
放送受信装置の制御方法であって、
データ放送に係る複数の表示リソース及び当該複数の表示リソースのレイアウトを規定する表示レイアウトデータを含むデータ放送コンテンツを受信する受信工程と、
前記表示レイアウトデータで規定されたレイアウトに従って、前記複数の表示リソースをレイアウトして表示させる第１の表示形態、又は前記表示レイアウトデータを用いずに、前記複数の表示リソースのうちのビデオストリーム以外の任意の表示リソースを拡大表示させる第２の表示形態の表示制御を行う表示制御工程と、を備える、ことを特徴とする放送受信装置の制御方法。
【請求項１１】
さらに、表示リソースの種別及びサイズのうちの少なくとも一方に基づいて、前記複数の表示リソースのうち拡大可能な表示リソースを抽出する抽出工程と、を備え、
前記表示制御工程は、前記複数の表示リソースのうち前記抽出工程で抽出された前記表示リソースを前記第２の表示形態において拡大表示することが可能である、ことを特徴とする請求項１０に記載の放送受信装置の制御方法。
【請求項１２】
前記抽出工程は、前記表示リソースのサイズが予め定められたサイズよりも大きい場合に、前記拡大表示可能な表示リソースとして抽出する、ことを特徴とする請求項１１に記載の放送受信装置の制御方法。
【請求項１３】
前記抽出工程は、前記表示リソースの種別がモノメディア又はテキストである場合に、前記拡大表示可能な表示リソースとして抽出する、ことを特徴とする請求項１１に記載の放送受信装置の制御方法。
【請求項１４】
ユーザの指示入力を受ける入力工程と、をさらに備え、
前記表示制御工程は、前記入力工程で受けた指示入力に応じて、前記第１の表示形態の表示又は前記第２の表示形態の表示制御を選択的に行う、ことを特徴とする請求項１０に記載の放送受信装置の制御方法。
【請求項１５】
放送受信装置の制御方法であって、
ビデオストリーム及びデータ放送コンテンツを受信する受信工程と、
前記ビデオストリームと前記データ放送コンテンツとを合成して表示させる第１の表示形態、又は前記ビデオストリームと前記データ放送コンテンツとを合成せずに前記ビデオストリームを表示させる第２の表示形態の表示制御を行う表示制御工程と、
前記データ放送コンテンツに含まれる表示リソースの変化を検出する変化検出工程と、を備え、
前記表示制御工程は、前記第２の表示形態の表示を行っている状態で、前記変化検出工程により前記表示リソースの変化が検出された場合、前記第２の表示形態から前記第１の表示形態に表示制御を切り換える、ことを特徴とする放送受信装置の制御方法。
【請求項１６】
放送受信装置の制御方法であって、
ビデオストリーム及びデータ放送コンテンツを受信する受信工程と、
前記ビデオストリームと前記データ放送コンテンツとを合成して表示させる第１の表示形態、又は前記ビデオストリームと前記データ放送コンテンツとを合成せずに前記ビデオストリームを表示させる第２の表示形態の表示制御を行う表示制御工程と、
前記データ放送コンテンツに含まれる表示リソースの変化を検出する変化検出工程と、を備え、
前記表示制御工程は、前記第１の表示形態の表示を行っている状態で、前記変化検出工程により前記表示リソースの変化が予め定められた期間検出されなかった場合、前記第１の表示形態から前記第２の表示形態に表示制御を切り換える、ことを特徴とする放送受信装置の制御方法。
【請求項１７】
前記表示リソースは、モノメディア及びテキストのいずれか１つを含む、ことを特徴とする請求項１５又は１６に記載の放送受信装置の制御方法。
【請求項１８】
前記表示制御工程により表示制御を切り換えるか否かを設定するための設定工程と、をさらに備える、ことを特徴とする請求項１５又は１６に記載の放送受信装置の制御方法。
【手続補正２】
【補正対象書類名】明細書
【補正対象項目名】００１５
【補正方法】変更
【補正の内容】
【００１５】
上記の目的を達成するため、本発明の実施形態に係る他の放送受信装置は、ビデオストリーム及びデータ放送コンテンツを受信する受信手段と、前記ビデオストリームと前記データ放送コンテンツとを合成して表示させる第１の表示形態、又は前記ビデオストリームと前記データ放送コンテンツとを合成せずに前記ビデオストリームを表示させる第２の表示形態の表示制御を行う表示制御手段と、前記データ放送コンテンツに含まれる表示リソースの変化を検出する変化検出手段と、を備え、前記表示制御手段は、前記第２の表示形態の表示を行っている状態で、前記変化検出手段により前記表示リソースの変化が検出された場合、前記第２の表示形態から前記第１の表示形態に表示制御を切り換える、ことを特徴とする。
【手続補正３】
【補正対象書類名】明細書
【補正対象項目名】００１６
【補正方法】変更
【補正の内容】
【００１６】
上記の目的を達成するため、本発明の実施形態に係る、さらに他の放送受信装置は、ビデオストリーム及びデータ放送コンテンツを受信する受信手段と、前記ビデオストリームと前記データ放送コンテンツとを合成して表示させる第１の表示形態、又は前記ビデオストリームと前記データ放送コンテンツとを合成せずに前記ビデオストリームを表示させる第２の表示形態の表示制御を行う表示制御手段と、前記データ放送コンテンツに含まれる表示リソースの変化を検出する変化検出手段と、を備え、前記表示制御手段は、前記第１の表示形態の表示を行っている状態で、前記変化検出手段により前記表示リソースの変化が予め定められた期間検出されなかった場合、前記第１の表示形態から前記第２の表示形態に表示制御を切り換える、ことを特徴とする。
【手続補正４】
【補正対象書類名】明細書
【補正対象項目名】００１８
【補正方法】変更
【補正の内容】
【００１８】
上記の目的を達成するため、本発明の実施形態に係る、さらに他の放送受信装置の制御方法は、ビデオストリーム及びデータ放送コンテンツを受信する受信工程と、前記ビデオストリームと前記データ放送コンテンツとを合成して表示させる第１の表示形態、又は前記ビデオストリームと前記データ放送コンテンツとを合成せずに前記ビデオストリームを表示させる第２の表示形態の表示制御を行う表示制御工程と、前記データ放送コンテンツに含まれる表示リソースの変化を検出する変化検出工程と、を備え、前記表示制御工程は、前記第２の表示形態の表示を行っている状態で、前記変化検出工程により前記表示リソースの変化が検出された場合、前記第２の表示形態から前記第１の表示形態に表示制御を切り換える、ことを特徴とする。
【手続補正５】
【補正対象書類名】明細書
【補正対象項目名】００１９
【補正方法】変更
【補正の内容】
【００１９】
上記の目的を達成するため、本発明の実施形態に係る、さらに他の放送受信装置の制御方法は、ビデオストリーム及びデータ放送コンテンツを受信する受信工程と、前記ビデオストリームと前記データ放送コンテンツとを合成して表示させる第１の表示形態、又は前記ビデオストリームと前記データ放送コンテンツとを合成せずに前記ビデオストリームを表示させる第２の表示形態の表示制御を行う表示制御工程と、前記データ放送コンテンツに含まれる表示リソースの変化を検出する変化検出工程と、を備え、前記表示制御工程は、前記第１の表示形態の表示を行っている状態で、前記変化検出工程により前記表示リソースの変化が予め定められた期間検出されなかった場合、前記第１の表示形態から前記第２の表示形態に表示制御を切り換える、ことを特徴とする。